(57)【要約】      （修正有）【課題】平坦な溝蓋を清掃することができ、かつ清掃で付着した汚れを簡単に除去することが可能な側溝蓋掃除具を提供する。【解決手段】矩形の平板形状の把持体１と、把持体１の裏面部に設けられる着脱自在の伸縮性の掃除片と、把持体１の表面部の所定位置に設けられる複数の係止片２０と、複数の係止片２０に弾性紐２６により固定される濡れた紙片２５と、を有し、把持体１には着脱可能な把持操作杆を設けて成ることを特徴とする。【選択図】図６
0003198177.tif 000002
【実用新案登録請求の範囲】
【請求項１】
矩形の平板形状の把持体と、
該把持体の裏面部に設けられる着脱自在の伸縮性の掃除片と、
前記把持体の表面部の所定位置に設けられる複数の係止片と、
前記複数の係止片に弾性紐により固定される濡れた紙片と、を有し、
前記把持体には着脱可能な把持操作杆を設けて成ることを特徴とする側溝蓋掃除具。
【請求項２】
前記掃除片は、硬質樹脂の基部と、前記基部に接着された多孔性伸縮性合成樹脂材とより成り、前記基部は鈎状の止片を備え、前記把持体の係止孔に着脱自在に挿入固定できるようにして成ることを特徴とする請求項１記載の側溝蓋掃除具。
【請求項３】
前記把持体には、中央に手動用の挟持摘子を備え、かつ把持操作杆の基部を着脱自在に固定できる係止部を備えて成ることを特徴とする請求項１記載の側溝蓋掃除具。
【考案の詳細な説明】
【技術分野】
【０００１】
本考案は、道路の側溝やマンションの通路溝に設置される溝蓋を掃除するための側溝蓋掃除具に関する。
【背景技術】
【０００２】
一般に、道路の両側部やマンションの通路横には雨水の排水のための側溝が設けられている。そして、この側溝には、雨水と共に枯草、紙切れ等が溝内に侵入するのを防止するため溝蓋が通常設置されている。この溝蓋は、近年両側端部が折り曲がり断面形状がコの字形状の金属製の蓋が採用されている。そして、この溝蓋は、排水用の複数の穴が形成されている。
【０００３】
この金属製の溝蓋は、時間の経過と共に汚れがひどくなり、排水用の複数の穴が塞がれてしまい排水が効率よく行われないという問題が発生する。また、曲げられた両側部が時間の経過と共に汚れ、特にマンション内の美観が損なわれるという問題が発生する。
【０００４】
そこで、本出願人は、上記したコの字の断面形状で金属製の溝蓋を効率良く清掃するために使用される両脚付側溝蓋掃除具を特許文献１に開示している。この両脚付側溝蓋掃除具を、図面を参照しつつ以下に説明する。
【０００５】
図９は特許文献１の両脚付側溝蓋掃除具を示す平面図であり、図１０は正面図である。両脚付側溝蓋掃除具を構成する把持体５１は、図１０に示したように正面から見てコの字状であって、中央の平板部５１ａと、その両端に側部５１ｂ，５１ｂを備えている。そして、掃除片５２は、平板部５１ａ及び両側部５１ｂ，５１ｂの裏面に着脱自在に装着できる伸縮性の合成樹脂製である。
【０００６】
この掃除片５２は、合成樹脂製の硬質な基板５３と弾力気泡製のスポンジ体５４の二層より成り、基板５３には鈎部５５が複数個突設されており、把持体５１の平板部５１ａ及び側部５１ｂ，５１ｂに設けた係止孔５６と対応しており、夫々の掃除片５２を把持体５１の平板部５１ａ及び両側部５１ｂ，５１ｂの裏面に捻回させて着脱自在に固定させることができる。そして、コの字状の把持体５１に対し、３個の掃除片５２は、鈎部５５と係止孔５６との係合を外せば分離分割できる。
【０００７】
挟持摘子５７は、コの字状の把持体５１の平板部５１ａの中央に螺合固着されており、中央当板５８を介在させて設置されている。また、止杆６０は把持体５１の中央に傾斜して設置されており、長尺な把持操作杆に連結されている。
【０００８】
特許文献１の両脚付側溝蓋掃除具の使用方法について、図１０を参照しつつ説明する。なお、Ａは両脚付側溝蓋掃除具によって清掃される両脚付側溝蓋を示す。
【０００９】
まず、側溝に被冠されている両脚付側溝蓋Ａを取り出し、路面上に載置し、散水ないし洗剤を含んだ水を掛けて両脚付側溝蓋Ａの表面を水で膨潤状態にして、両脚付側溝蓋Ａ上に付着したゴミを浮上状態にする。そして、両脚付側溝蓋掃除具のコの字状の把持体１を被せ、把持操作杆により両脚付側溝蓋掃除具を把持して往復動させて、両脚付側溝蓋Ａの表面Ａ１及び両側面Ａ２，Ａ２の塵埃，汚れを掃き取る。
【先行技術文献】
【特許文献】
【００１０】
【特許文献１】登録実用新案第３１９１３４３号公報
【考案の概要】
【考案が解決しようとする課題】
【００１１】
しかし、上記した特許文献１の両脚付側溝蓋掃除具については以下のような課題があった。
【００１２】
両脚付側溝蓋掃除具は、断面の形状がコの字形状であるため、両側部が曲がった溝蓋を効率良く清掃することができるが、通常の表面が平坦な溝蓋の清掃には適さない。また、両側部が曲がった溝蓋を両脚付側溝蓋掃除具により一度清掃すれば、その後溝蓋が汚れる箇所は主に両側部以外の平坦部であり、この汚れた平坦部のみを清掃する場合にも両脚付側溝蓋掃除具は適さない。更に、特許文献１の両脚付側溝蓋掃除具の掃除片５２のスポンジ体５４は、複数回の使用により汚れた場合、その都度水洗い等して汚れを落とす必要がある。この場合、両脚付側溝蓋掃除具は、掃除片５２を把持体５１から取り外して水洗いしなければならず、時間と手間がかかるという課題があった。
【００１３】
本考案は、上記した課題を解決するためになされたものであって、平坦な溝蓋を清掃することができ、かつ清掃で付着した汚れを簡単に除去することが可能な側溝蓋掃除具を提供することを目的とする。
【課題を解決するための手段】
【００１４】
本考案は上記の目的を達成するため、以下の構成を備えるものである。
【００１５】
（１）矩形の平板形状の把持体と、
該把持体の裏面部に設けられる着脱自在の伸縮性の掃除片と、
前記把持体の表面部の所定位置に設けられる複数の係止片と、
前記複数の係止片に弾性紐により固定される濡れた紙片と、を有し、
前記把持体には着脱可能な把持操作杆を設けて成ることを特徴とする側溝蓋掃除具。
【００１６】
（２）前記掃除片は、硬質樹脂の基部と、前記基部に接着された多孔性伸縮性合成樹脂材とより成り、前記基部は鈎状の止片を備え、前記把持体の係止孔に着脱自在に挿入固定できるようにして成ることを特徴とする前記（１）記載の側溝蓋掃除具。
【００１７】
（３）前記把持体には、中央に手動用の挟持摘子を備え、かつ把持操作杆の基部を着脱自在に固定できる係止部を備えて成ることを特徴とする前記（１）記載の側溝蓋掃除具。
【考案の効果】
【００１８】
本考案によれば、平坦な溝蓋を清掃することができ、かつ清掃で付着した汚れを簡単に除去することが可能な側溝蓋掃除具を提供することができる。
【図面の簡単な説明】
【００１９】
【図１】実施例の側溝蓋掃除具の構成を示す平面図
【図２】実施例の側溝蓋掃除具の構成を示す正面図
【図３】実施例の側溝蓋掃除具の構成を示す側面図
【図４】実施例の側溝蓋掃除具の構成を示す断面図
【図５】実施例の側溝蓋掃除具が把持操作杆に装着された状態を示す図
【図６】実施例の側溝蓋掃除具に紙を装着した状態を示す平面図
【図７】実施例の側溝蓋掃除具に紙を装着した状態を示す側面図
【図８】実施例の側溝蓋掃除具により側溝蓋を掃除している状態を示す図
【図９】従来の両脚付側溝蓋掃除具の構成を示す平面図
【図１０】従来の両脚付側溝蓋掃除具の構成を示す正面図
【考案を実施するための形態】
【００２０】
以下、本考案を実施するための形態を、実施例により詳しく説明する。
【実施例】
【００２１】
図１は本考案の側溝蓋掃除具３０の構成を示す平面図であり、図２は正面図である。側溝蓋掃除具３０は、基本的にはベース板１と掃除片２により構成されており、そして掃除片２は基板３とスポンジ体４によって構成されている。掃除片２の基板３には鈎部５が４個形成されており、この鈎部５がベース板１の係止孔６に挿入されて、ベース板１と掃除片２を連結する。なお、掃除片２のスポンジ体４は厚めの直方体であるものとする。すなわち、本考案の側溝蓋掃除具３０は、表面がフラットな側溝蓋を掃除するのに使用される。
【００２２】
ベース板１の中央部には、中央当板８が挟持摘子７によってベース板１に固定され、更に止杆１０が中央当板８にネジとナットによって固定されている。止杆１０は、長尺な把持操作杆に連結される。
【００２３】
本考案の側溝蓋掃除具３０は、更にベース板１の所定箇所に６個の係止片２０が図示したように設置されている。この係止片２０は、図３の側面図に示したように断面が略Ｌ字形状を有している。この複数の係止片２０の使用方法については、後に詳しく述べる。
【００２４】
図４は、基板３に形成された鈎部５がベース板１の係止孔６に挿入された後の状態を示す断面図である。鈎部５は、係止孔６に押し込まれることにより係止孔６に引っかかり掃除片２とベース板１とを連結する。鈎部５は、爪が外れる方向に押すことによって係止孔６から抜くことができる。また、図５は本考案の側溝蓋掃除具３０が止杆１０を介して把持操作杆９に装着された状態を示しており、レバー片１１を介して着脱自在に係入離脱できるようになっている。
【００２５】
次に、本考案の側溝蓋掃除具３０に紙２５を取付けて使用する場合について説明する。図６は、側溝蓋掃除具３０に紙２５を取付けた状態を示す平面図であり、図７は側面図である。紙２５は、掃除片２のスポンジ体４を覆うように巻かれており、ベース板１の側部で折り返されている。そして、ゴムバンド２６を図６，図７に示したように巻き廻し、紙２５を固定する。また、ゴムバンド２６は係止片２０の凹部に引っかけるように巻き廻されており、掃除作業中に外れることはない。
【００２６】
この側溝蓋掃除具３０を覆う紙２５は、濡れた状態で取付けられるものとする。濡らすことによって、側溝蓋の表面に付着した汚れを効率良く除去することができる。そして、紙の汚れがひどくなった場合には、ゴムバンド２６を外して紙２５を交換する。そして、掃除作業を再開する。このように、交換できる紙２５を側溝蓋掃除具３０に設置することで、掃除片２のスポンジ体４を逐一洗浄する必要がないので、清掃作業を効率良く行うことができる。
【００２７】
図８は本考案の側溝蓋掃除具３０を使用して、マンション内の側溝蓋４０を清掃している状態を示す図である。平坦端な側溝蓋４０を無理なく清掃できることを示している。
【００２８】
本考案によれば、平坦な溝蓋を清掃することができ、かつ清掃で付着した汚れを簡単に除去することが可能な側溝蓋掃除具を提供することができる。
【符号の説明】
【００２９】
１      ベース板
２      掃除片
３      基板
４      スポンジ体
５      鈎部
６      係止孔
７      挟持摘子
８      中央当板
９      把持操作杆
１０    止杆
１１    レバー片
２０    係止片
２５    紙
２６    ゴムバンド
３０    側溝蓋掃除具
４０    側溝蓋
【図１】
0003198177.tif 000003
【図２】
0003198177.tif 000004
【図３】
0003198177.tif 000005
【図４】
0003198177.tif 000006
【図５】
0003198177.tif 000007
【図６】
0003198177.tif 000008
【図７】
0003198177.tif 000009
【図８】
0003198177.tif 000010
【図９】
0003198177.tif 000011
【図１０】
0003198177.tif 000012